(57)【要約】  フィールド内の距離情報を収集する光学系が提供される。光学系は、フィールドから光子を収集するレンズを含むのが良く、かつ光子をフィールドに分布させるレンズを含むのが良い。光学系は、アパーチュアを通過した光子を視準するレンズ、動作周波数の外にある垂直入射光を拒絶する光フィルタ、及び入射光子を検出する画素を含むのが良い。光学系は、光子を動作周波数で出力する照明源を更に含むのが良い。
2020501109.tif 000002
【特許請求の範囲】
【請求項１】
微小光学受信器チャネルであって、
入力アパーチュア層と、
前記入力アパーチュア層に隣接して設けられた光学レンズ層と、
前記光学レンズ層に隣接して設けられた光フィルタ層と、
前記光フィルタ層に隣接して設けられたピクセル層と、を有する、微小光学受信器チャネル。
【請求項２】
前記入力アパーチュア層は、アパーチュアを有する、請求項１記載の微小光学受信器チャネル。
【請求項３】
前記入力アパーチュア層は、アパーチュアと、前記アパーチュアを包囲した停止材と、を有する、請求項１記載の微小光学受信器チャネル。
【請求項４】
前記停止材は、反射材料から成る、請求項３記載の微小光学受信器チャネル。
【請求項５】
前記停止材は、光吸収材料から成る、請求項３記載の微小光学受信器チャネル。
【請求項６】
前記光学レンズ層は、視準レンズから成る、請求項１記載の微小光学受信器チャネル。
【請求項７】
前記入力アパーチュア層は、アパーチュアを有し、前記光学レンズ層は、レンズから成り、前記アパーチュアは、前記レンズと整列している、請求項１記載の微小光学受信器チャネル。
【請求項８】
前記光学レンズ層と前記光フィルタ層との間に設けられた第２のアパーチュア層を更に有する、請求項１記載の微小光学受信器チャネル。
【請求項９】
前記光フィルタ層は、光学バンドパスフィルタから成る、請求項１記載の微小光学受信器チャネル。
【請求項１０】
前記ピクセル層は、少なくとも１つの単一光子アバランシェダイオード検波器から成る、請求項１記載の微小光学受信器チャネル。
【請求項１１】
前記ピクセル層は、複数の単一光子アバランシェダイオード検波器から成る、請求項１記載の微小光学受信器チャネル。
【請求項１２】
前記ピクセル層は、少なくとも１つの共振空胴フォトダイオードから成る、請求項１記載の微小光学受信器チャネル。
【請求項１３】
前記ピクセル層は、複数の共振空胴フォトダイオードから成る、請求項１記載の微小光学受信器チャネル。
【請求項１４】
前記ピクセルは、複数のサブピクセルから成る、請求項１記載の微小光学受信器チャネル。
【請求項１５】
前記光フィルタ層と前記ピクセル層との間に設けられたディフューザを更に有する、請求項１記載の微小光学受信器チャネル。
【請求項１６】
前記光フィルタ層と前記ディフューザとの間に設けられた第３のアパーチュア層を更に有する、請求項１５記載の微小光学受信器チャネル。
【請求項１７】
微小光学受信器チャネルであって、
停止領域によって包囲されたアパーチュアと、
前記アパーチュアに隣接して設けられた光学レンズと、
前記光学レンズに隣接して設けられた光フィルタと、
前記光フィルタに隣接して設けられたピクセルと、を有し、
前記アパーチュアは、広範な波長を有する光の入力コーンを受け入れ、前記光フィルタは、中心が動作波長にある波長の狭いバンド以外の全てを濾波・除去し、前記ピクセルは、波長の狭いバンド内の光子を検出するよう構成されている、微小光学受信器チャネル。
【請求項１８】
前記停止領域は、反射材料から成る、請求項１７記載の微小光学受信器チャネル。
【請求項１９】
前記停止領域は、光吸収材料から成る、請求項１７記載の微小光学受信器チャネル。
【請求項２０】
前記光学レンズは、視準レンズから成る、請求項１７記載の微小光学受信器チャネル。
【請求項２１】
前記アパーチュアは、前記レンズと整列している、請求項１７記載の微小光学受信器チャネル。
【請求項２２】
前記光学レンズと前記光フィルタとの間に設けられた第２のアパーチュアを更に有する、請求項１７記載の微小光学受信器チャネル。
【請求項２３】
前記光フィルタ層は、光学バンドパスフィルタから成る、請求項１７記載の微小光学受信器チャネル。
【請求項２４】
前記ピクセルは、少なくとも１つの単一光子アバランシェダイオード検波器から成る、請求項１７記載の微小光学受信器チャネル。
【請求項２５】
前記ピクセルは、複数の単一光子アバランシェダイオード検波器から成る、請求項１７記載の微小光学受信器チャネル。
【請求項２６】
前記ピクセルは、少なくとも１つの共振空胴フォトダイオードから成る、請求項１７記載の微小光学受信器チャネル。
【請求項２７】
前記ピクセルは、複数の共振空胴フォトダイオードから成る、請求項１７記載の微小光学受信器チャネル。
【請求項２８】
前記ピクセルは、複数のサブピクセルから成る、請求項１７記載の微小光学受信器チャネル。
【請求項２９】
前記光フィルタと前記ピクセル層との間に設けられたディフューザを更に有する、請求項１７記載の微小光学受信器チャネル。
【請求項３０】
前記光フィルタと前記ディフューザとの間に設けられた第３のアパーチュアを更に有する、請求項２９記載の微小光学受信器チャネル。
【請求項３１】
イメージセンサであって、
複数の微小光学受信器チャネルを有し、各微小光学受信器チャネルは、
アパーチュアと、
前記アパーチュアに隣接して設けられた光学レンズと、
前記光学レンズに隣接して設けられた光フィルタと、
前記光フィルタに隣接して設けられたピクセルと、を有する、イメージセンサ。
【請求項３２】
前記停止領域は、反射材料から成る、請求項３１記載のイメージセンサ。
【請求項３３】
前記停止領域は、光吸収材料から成る、請求項３１記載のイメージセンサ。
【請求項３４】
前記光学レンズは、視準レンズから成る、請求項３１記載のイメージセンサ。
【請求項３５】
前記アパーチュアは、前記レンズと整列している、請求項３１記載のイメージセンサ。
【請求項３６】
前記光学レンズと前記光フィルタとの間に設けられた第２のアパーチュアを更に有する、請求項３１記載のイメージセンサ。
【請求項３７】
前記光フィルタ層は、光学バンドパスフィルタから成る、請求項３１記載のイメージセンサ。
【請求項３８】
前記ピクセルは、少なくとも１つの単一光子アバランシェダイオード検波器から成る、請求項３１記載のイメージセンサ。
【請求項３９】
前記ピクセルは、複数の単一光子アバランシェダイオード検波器から成る、請求項３１記載のイメージセンサ。
【請求項４０】
前記ピクセルは、少なくとも１つの共振空胴フォトダイオードから成る、請求項３１記載のイメージセンサ。
【請求項４１】
前記ピクセルは、複数の共振空胴フォトダイオードから成る、請求項３１記載のイメージセンサ。
【請求項４２】
前記ピクセルは、複数のサブピクセルから成る、請求項３１記載のイメージセンサ。
【請求項４３】
前記光フィルタと前記ピクセル層との間に設けられたディフューザを更に有する、請求項３１記載のイメージセンサ。
【請求項４４】
前記光フィルタと前記ディフューザとの間に設けられた第３のアパーチュアを更に有する、請求項４３記載のイメージセンサ。
【請求項４５】
方法であって、
微小光学受信器チャネルを用意するステップを含み、前記微小光学受信器チャネルは、
停止領域によって包囲されたアパーチュアと、
前記アパーチュアに隣接して設けられた光学レンズと、
前記光学レンズに隣接して設けられた光フィルタと、
前記光フィルタに隣接して設けられたピクセルと、を有し、
前記アパーチュアは、広範な波長を有する光の入力コーンを受け入れ、前記光フィルタは、中心が動作波長にある波長の狭いバンド以外の全てを濾波・除去し、前記ピクセルは、波長の狭いバンド内の光子を検出するよう構成されている、方法。
【請求項４６】
前記停止領域は、反射材料から成る、請求項４５記載の方法。
【請求項４７】
前記停止領域は、光吸収材料から成る、請求項４５記載の方法。
【請求項４８】
前記光学レンズは、視準レンズから成る、請求項４５記載の方法。
【請求項４９】
前記アパーチュアは、前記レンズと整列している、請求項４５記載の方法。
【請求項５０】
前記光学レンズと前記光フィルタとの間に設けられた第２のアパーチュアを更に有する、請求項４５記載の方法。
【請求項５１】
前記光フィルタ層は、光学バンドパスフィルタから成る、請求項４５記載の方法。
【請求項５２】
前記ピクセルは、少なくとも１つの単一光子アバランシェダイオード検波器から成る、請求項４５記載の方法。
【請求項５３】
前記ピクセルは、複数の単一光子アバランシェダイオード検波器から成る、請求項４５記載の方法。
【請求項５４】
前記ピクセルは、少なくとも１つの共振空胴フォトダイオードから成る、請求項４５記載の方法。
【請求項５５】
前記ピクセルは、複数の共振空胴フォトダイオードから成る、請求項４５記載の方法。
【請求項５６】
前記ピクセルは、複数のサブピクセルから成る、請求項４５記載の方法。
【請求項５７】
前記光フィルタと前記ピクセル層との間に設けられたディフューザを更に有する、請求項４５記載の方法。
【請求項５８】
前記光フィルタと前記ディフューザとの間に設けられた第３のアパーチュアを更に有する、請求項５７記載の方法。
【請求項５９】
方法であって、
微小光学受信器チャネルを用いるステップを含み、前記微小光学受信器チャネルは、
停止領域によって包囲されたアパーチュアと、
前記アパーチュアに隣接して設けられた光学レンズと、
前記光学レンズに隣接して設けられた光フィルタと、
前記光フィルタに隣接して設けられたピクセルと、を有し、
前記アパーチュアは、広範な波長を有する光の入力コーンを受け入れ、前記光フィルタは、中心が動作波長にある波長の狭いバンド以外の全てを濾波・除去し、前記ピクセルは、波長の狭いバンド内の光子を検出するよう構成されている、方法。
【請求項６０】
前記停止領域は、反射材料から成る、請求項５９記載の方法。
【請求項６１】
前記停止領域は、光吸収材料から成る、請求項５９記載の方法。
【請求項６２】
前記光学レンズは、視準レンズから成る、請求項５９記載の方法。
【請求項６３】
前記アパーチュアは、前記レンズと整列している、請求項５９記載の方法。
【請求項６４】
前記光学レンズと前記光フィルタとの間に設けられた第２のアパーチュアを更に有する、請求項５９記載の方法。
【請求項６５】
前記光フィルタ層は、光学バンドパスフィルタから成る、請求項５９記載の方法。
【請求項６６】
前記ピクセルは、少なくとも１つの単一光子アバランシェダイオード検波器から成る、請求項５９記載の方法。
【請求項６７】
前記ピクセルは、複数の単一光子アバランシェダイオード検波器から成る、請求項５９記載の方法。
【請求項６８】
前記ピクセルは、少なくとも１つの共振空胴フォトダイオードから成る、請求項５９記載の方法。
【請求項６９】
前記ピクセルは、複数の共振空胴フォトダイオードから成る、請求項５９記載の方法。
【請求項７０】
前記ピクセルは、複数のサブピクセルから成る、請求項５９記載の方法。
【請求項７１】
前記光フィルタと前記ピクセル層との間に設けられたディフューザを更に有する、請求項５９記載の方法。
【請求項７２】
前記光フィルタと前記ディフューザとの間に設けられた第３のアパーチュアを更に有する、請求項７１記載の方法。
【請求項７３】
光子を受け取って前記光子を検出する光学チャネルであって、
バルク結像光学部品を有し、
前記バルク光学部品の結像面のところに配置されたアパーチュア層を有し、
前記アパーチュア層の後ろに設けられた視準レンズ層を有し、前記視準レンズ層は、前記視準レンズ層の焦点距離だけ前記アパーチュア層から隔てられ、
前記視準レンズ層の後ろに設けられた光フィルタを有し、
前記視準レンズ層と反対側で前記光フィルタからオフセットして設けられたピクセルを有し、前記ピクセルは、前記ピクセルに入射した光子に応答する、光学チャネル。
【請求項７４】
前記アパーチュア層から前記光フィルタを通過した光線を対応のピクセルの領域全体にわたって広げるディフューザを更に有し、それにより、前記ピクセルは、前記光学系のダイナミックレンジを増大させるよう前記ピクセルの幅及び高さ全体にわたって入射光子を検出することができる、請求項７３記載の光学チャネル。
【請求項７５】
前記ピクセルは、少なくとも１つの単一光子アバランシェダイオード検波器から成る、請求項７３記載の光学チャネル。
【請求項７６】
前記ピクセルは、少なくとも１つの共振空胴フォトダイオードから成る、請求項７３記載の広角チャネル。
【請求項７７】
前記バルク結像光学部品は、像空間テレセントリックである、請求項６３記載の光学チャネル。
【請求項７８】
請求項７３記載の光学チャネルの組であって、前記光学チャネルの組のピクセルの組は、単一のイメージセンサ上に配列されている、光学チャネルの組。
【請求項７９】
光学チャネルの多数の組が同一のウェーハ上に作成されかつ光学チャネルの多数の組を生じさせるようダイシングされている、請求項７８記載の光学チャネルの組。
【請求項８０】
各光学チャネルのための視界を定めるフィールド中に投射された焦点面のところに位置するアパーチュアを備えたバルク結像光学部品を更に有する、請求項７８記載の光学チャネルの組。
【請求項８１】
前記光学チャネルの組によって定められた前記視界とオーバーラップする送信器視界を定めるフィールド中に光を投射する焦点面のところに設けられている光学エミッタの組を備えたバルク送信器光学部品を更に有する、請求項８０記載のバルク結像光学部品を備える光学チャネルの組。
【請求項８２】
前記バルク結像光学部品は、像空間テレセントリックである、請求項８１記載の能動照明光センサ。
【請求項８３】
前記光学エミッタの組は、単一の半導体ダイ上に配列されている、請求項８１記載の能動照明光センサ。
【請求項８４】
前記光学エミッタの組は、レーザである、請求項８１記載の能動照明光センサ。
【請求項８５】
前記能動照明光センサは、各送信器・受信器対に関してシーン中の物体までの距離を測定するよう構成されている、請求項８１記載の能動照明光センサ。
【請求項８６】
前記能動照明光センサは、３Ｄ深さセンサである、請求項８５記載の能動照明光センサ。
【発明の詳細な説明】
【技術分野】
【０００１】
本発明は、一般に、光センサの分野に関し、特に、光センサの分野における距離情報を収集する新規かつ有用な光学系に関する。
【発明の概要】
【０００２】
本発明の一観点によれば、微小光学受信器チャネルであって、
入力アパーチュア層と、
入力アパーチュア層に隣接して設けられた光学レンズ層と、
光学レンズ層に隣接して設けられた光フィルタ層と、
光フィルタ層に隣接して設けられたピクセル層と、を有することを特徴とする微小光学受信器チャネルが提供される。
【０００３】
本発明の別の観点によれば、微小光学受信器チャネルであって、
停止領域によって包囲されたアパーチュアと、
アパーチュアに隣接して設けられた光学レンズと、
光学レンズに隣接して設けられた光フィルタと、
光フィルタに隣接して設けられたピクセルと、を有し、
アパーチュアは、広範な波長を有する光の入力コーンを受け入れ、光フィルタは、中心が動作波長にある波長の狭いバンド以外の全てを濾波・除去し、ピクセルは、波長の狭いバンド内の光子を検出するよう構成されていることを特徴とする微小光学受信器チャネルが提供される。
【０００４】
本発明の更に別の観点によれば、イメージセンサであって、
複数の微小光学受信器チャネルを有し、各微小光学受信器チャネルは、
アパーチュアと、
アパーチュアに隣接して設けられた光学レンズと、
光学レンズに隣接して設けられた光フィルタと、
光フィルタに隣接して設けられたピクセルと、を有することを特徴とするイメージセンサが提供される。
【０００５】
本発明の更に別の観点によれば、方法であって、
微小光学受信器チャネルを用意するステップを含み、微小光学受信器チャネルは、
停止領域によって包囲されたアパーチュアと、
アパーチュアに隣接して設けられた光学レンズと、
光学レンズに隣接して設けられた光フィルタと、
光フィルタに隣接して設けられたピクセルと、を有し、
アパーチュアは、広範な波長を有する光の入力コーンを受け入れ、光フィルタは、中心が動作波長にある波長の狭いバンド以外の全てを濾波・除去し、ピクセルは、波長の狭いバンド内の光子を検出するよう構成されていることを特徴とする方法が提供される。
【０００６】
本発明の更に別の観点によれば、方法であって、
微小光学受信器チャネルを用いるステップを含み、微小光学受信器チャネルは、
停止領域によって包囲されたアパーチュアと、
アパーチュアに隣接して設けられた光学レンズと、
光学レンズに隣接して設けられた光フィルタと、
光フィルタに隣接して設けられたピクセルと、を有し、
アパーチュアは、広範な波長を有する光の入力コーンを受け入れ、光フィルタは、中心が動作波長にある波長の狭いバンド以外の全てを濾波・除去し、ピクセルは、波長の狭いバンド内の光子を検出するよう構成されていることを特徴とする方法が提供される。
【０００７】
本発明の更に別の観点によれば、光子を受け取って光子を検出する光学チャネルであって、
バルク結像光学部品を有し、
バルク光学部品の結像面のところに配置されたアパーチュア層を有し、
アパーチュア層の後ろに設けられた視準レンズ層を有し、視準レンズ層は、視準レンズ層の焦点距離だけアパーチュア層から隔てられ、
視準レンズ層の後ろに設けられた光フィルタを有し、
視準レンズ層と反対側で光フィルタからオフセットして設けられたピクセルを有し、ピクセルは、ピクセルに入射した光子に応答することを特徴とする光学チャネルが提供される。
【図面の簡単な説明】
【０００８】
【図１】光学系の略図である。
【図２】光学系の一形態による略図である。
【図３】光学系の一形態による略図である。
【図４】光学系の一形態による略図である。
【図５】光学系の一形態による略図である。
【図６】光学系の一形態による略図である。
【図７】光学系の一形態による略図である。
【図８】光学系の一形態による略図である。
【図９】光学系の一形態による略図である。
【図１０】光学系の一形態による略図である。
【図１１】光学系の一形態による略図である。
【発明を実施するための形態】
【０００９】
本発明の実施形態についての以下の説明は、本発明をこれら実施形態に限定するものではなく、これとは異なり、当業者が本発明を構成して使用することができるようにするためのものである。本明細書において説明する形態、構成、具体例、例示の具体化例、及び実施例は、オプションでありかつこれらが説明する形態、構成、具体例、例示の具体化例、及び実施例に限定されるものではない。本明細書において説明する発明は、これら形態、構成、具体例、例示の具体化例、及び実施例の任意のかつ全ての組み合わせも含む場合がある。
【００１０】
１．一次元光学系：アパーチュアアレイ
図１に示されているように、フィールド内の位置情報を収集する一次元光学系１００が第１の軸線に沿って配置された１組の照明源１１０を含み、１組の照明源１１０の各照明源は、動作波長の照明ビームを照明源の前に位置するフィールド中の個別のスポットの方へ出力するよう構成され、一次元光学系は、フィールドと反対側に位置する焦点面によって特徴付けられるバルク結像光学部品１３０と、焦点面と一致していて第１の軸線に平行なラインアレイをなした１組のアパーチュア１４４を定めるとともに１組のアパーチュア１４４の周りに停止領域１４６を定めるアパーチュア層１４０と、を含み、１組のアパーチュア１４４の各アパーチュアは、１組の照明源１１０の対応の照明源によって出力される個別のスポットに一致したフィールド中の視界を定め、停止領域１４６は、１組のアパーチュア１４４によって定められた視界の外のフィールド中の表面から反射されてバルク結像光学部品１３０を通過した光線を吸収し、一次元光学系は、１組のレンズ１５０を含み、１組のレンズ１５０の各組は、第２の焦点距離によって特徴付けられ、第２の焦点距離だけバルク結像光学部品と反対側の焦点面からオフセットし、１組のアパーチュア１４４の中の一アパーチュアと整列しかつこのアパーチュアを通過した光線を視準するよう構成され、一次元光学系は、アパーチュア層１４０と反対側で１組のレンズ１５０に隣接して設けられかつ光線を動作波長で通過させるよう構成された光フィルタと、１組のレンズ１５０と反対側で光フィルタ１６０に隣接して設けられた１組のピクセル１７０と、を含み、１組のピクセル１７０の各ピクセルは、１組のレンズ１５０の一レンズに対応するとともに第１の軸線と平行ではない第２の軸線に沿って配置された１組のサブピクセルを含み、一次元光学系は、光フィルタ１６０と１組のピクセル１７０との間に介在して設けられかつ１組のレンズ１５０中の各レンズから出力された視準光を１組のピクセル１７０中の対応のピクセルの１組のサブピクセル全体にわたって広げるよう構成されたディフューザ１８０を含む。
【００１１】
１．１  利用分野
一般に、一次元光学系１００（「システム」）は、アパーチュアのコラムに平行な軸線回りに回されると、光学系によって占められたボリュームの三次元距離データを収集するイメージセンサとして機能する。具体的に説明すると、一次元光学系１００は、ボリュームを走査して三次元距離データを収集することができ、かかる三次元距離データを次に、例えば照明源からの照明ビームの送信と１組のピクセル１７０に入射した光子（おそらく照明源に元を発している）の検出との間の記録時間に基づいて、位相を利用した測定技術に基づいて、又は任意他の適当な距離測定技術に基づいてボリュームの仮想三次元表示に再構成することができる。光学系１００は、バルク結像光学部品１３０の後ろに配置されかつバルク結像光学部品１３０の前に位置するフィールド中に別個の視界（すなわち、光学系からのしきい距離を超える互いにオーバーラップしていない視界）を定めるコラム状（柱状）のオフセットアパーチュア、別々の照明ビームを動作波長でアパーチュアによって定められた視界中に（実質的にかかる視界中にのみ）投射する１組の照明源１１０、対応のアパーチュアを通過した光線を視準するコラム状のレンズ、動作波長を含む光（すなわち、電磁線）の波長の狭いバンドを選択的に通す光フィルタ１６０、及び入射光子を検出する（例えば、入射光子を計数する、連続して位置する入射光子相互間の時間を追跡する）１組のピクセル１７０を含む。したがって、この光学系は、光学系からの距離範囲全体にわたるサイズ及び幾何学的形状に関してアパーチュアの視界に実質的に合致した照明パターンに従って照明ビームを光学系の前のフィールド中に選択的に投射することができる。特に、照明源は、光学系の前に位置するフィールド中の表面だけを実質的に照明するよう構成され、これら表面は、光学系内のピクセルによって検出でき、その結果、光学系によって出力され（照明源を経て）、ピクセルがブラインド（blind ）であるフィールド中の表面を照明することによって無駄になるパワーが最小限に抑えられる。したがって、光学系は、出力信号（すなわち、照明ビームパワー）と入力信号（すなわち、ピクセルアレイへの入射部に至らされる光子）の比較的高い割合を達成することができる。さらに、１組のレンズ１５０は、隣り合うアパーチュアを通過した光線を視準することができ、その結果、光フィルタ１６０に入射した光線は、約０°の入射角で光フィルタ１６０に出合い、それにより光フィルタ１６０を通過した光の波長の比較的狭いバンドを維持するとともに１組のピクセル１７０に達した光線について比較的高い信号対雑音比（“ＳＮＲ”）を達成する。
【００１２】
この光学系は、コラム状に配置されかつアパーチュアと整列したピクセルを含み、各ピクセルは、固定されたアパーチュアピッチ及びピクセルコラム高さについて光学系の検出領域を拡張するよう幾何学的形状が非正方形であるのが良い（例えば、短くかつ幅が広い）。この光学系は、アパーチュアから光フィルタ１６０を通ってきた光線を対応のピクセルの領域全体にわたって広げてピクセルがその幅全体及びその高さ全体にわたって入射光子を検出することができ、それにより光学系のダイナミックレンジを増大させるようにするディフューザ１８０を更に含む。
【００１３】
この光学系は、本明細書においては、電磁線をフィールド中に投影するとともにフィールド中の表面から反射されてバルク受信器光学部品に戻される電磁線を検出するものとして説明される。本明細書に記載されている「照明ビーム」、「光」、「光線」、及び「光子」という用語は、かかる電磁線を意味している。本明細書において記載されている「チャネル」という用語は、アパーチュア層１４０の一アパーチュア、１組のレンズ１５０中の対応のレンズ、及び１組のピクセル１７０中の対応のピクセルを意味している。
【００１４】
１．２  バルク結像光学部品
この光学系は、フィールドと反対側の焦点面によって特徴付けられるバルク結像光学部品１３０を含む。一般に、バルク結像光学部品１３０は、系の外部からの入射光線を焦点面に向かって投射するよう機能し、この焦点面において、アパーチュア層１４０の停止領域１４６に入射した光線が拒絶され（例えば、反射され又は吸収され）、アパーチュア層１４０のアパーチュアに入射した光線は、焦点距離によって特徴付けられるとともに焦点距離だけ焦点面からオフセットしたレンズ中に通される。
【００１５】
一具体化例では、バルク結像光学部品１３０は、光学系を動作波長で特定の焦点距離によって特徴付けられる収束レンズ、例えば両凸レンズ（図２に示されている）又は平凸レンズを含む。バルク結像光学部品１３０は、互いに協働して光線をアパーチュア層１４０の方へ投射しかつ図１１に示されているようにフィールドと反対側で複合焦点面によって特徴付けられる多数の別々のレンズを更に含むのが良い。しかしながら、バルク結合光学部品１３０は、任意他の適当な形式のレンズであっても良くあるいは任意他の形式又は幾何学的形状のレンズの組み合わせであっても良い。
【００１６】
１．３  アパーチュア層
図１及び図２に示されているように、光学系は、照明源の軸線に平行なラインアレイをなして１組のアパーチュア１４４を定めかつ１組のアパーチュア１４４の周りに停止領域１４６を定める焦点面と一致したアパーチュア層１４０を含み、１組のアパーチュア１４４の各アパーチュアは、１組の照明源１１０中の対応の照明源によって出力された個別のスポットに一致するフィールド中の視界を定め、停止領域１４６は、１組のアパーチュア１４４によって定められた視界の外に位置するフィールド中の表面から反射されてバルク結像光学部品１３０を通過する光線を吸収するとともに／あるいは反射する。一般に、アパーチュア層１４０は、開放領域（すなわち、レンズ１個当たり１つのアパーチュアを含むアパーチュア）及び隣り合う開放領域相互間に位置する閉鎖領域（「停止領域」）のアレイを備える。アパーチュア層１４０中の各アパーチュアは、その対応したセンスチャネルについて視界を定めるとともにその視界内の外面から反射された光線をその対応のレンズ中に通す「ピンホール」を定め、各停止領域１４６は、焦点面の選択された領域に入射した光線が図６に示されているようにレンズアレイ中に入るのを阻止することができる。
【００１７】
アパーチュア層１４０は、図１及び図２に示されているように、バルク結像光学部品１３０の焦点面と一致した（例えば、この焦点面に沿って配置された）比較的薄い不透明な構造体を含む。例えば、アパーチュア層１４０は、光硬化可能な透明なポリマー上に蒸着された（例えば、メッキされた）、次にアパーチュアのアレイを形成するよう選択的にエッチングされた１０マイクロメートル厚さの銅、銀、又はニッケル膜を含むのが良い。同様な実施形態では、反射金属化層又は光吸収フォトポリマー（例えば、光吸収性染料と混合されたフォトポリマー）をガラスウェーハ上に蒸着し、そして選択的にフォトマスクで硬化させると、アパーチュア層１４０及び１組のアパーチュア１４４を形成することができる。変形例として、アパーチュア層１４０は、アパーチュアのアレイを形成するよう機械的に又は化学的に穿孔され、レンズアレイに結合され、次に焦点面に沿ってバルク結像光学部品１３０を覆って被着された別個の金属膜を有しても良い。しかしながら、アパーチュア層１４０は、バルク結像光学部品１３０の焦点面に沿ってアパーチュアのアレイを構成するよう任意の別の仕方で形成された任意の他の反射（例えば、鏡面仕上げされた）又は光吸収性材料を含むことができる。
【００１８】
一次元光学系１００では、アパーチュア層１４０は、実質的に一様な直径の多数の別々の円形アパーチュアから成る単一のコラムを備えるのが良く、各アパーチュアは、図３に示されているように、レンズアレイ中の一レンズに実質的に平行でありかつこれと整列した軸線を定める。隣り合うアパーチュアは、アパーチュア直径よりも大きくかつレンズピッチ距離と実質的にほぼ同じであるアパーチュアピッチ距離だけオフセットして設けられ、アパーチュア層１４０は、隣り合うアパーチュア相互間に位置する停止領域１４６（すなわち、不透明な又は反射領域）を備え、その結果、アパーチュアは、これらの対応のセンスチャネルについて別々の非オーバーラップ状態にある視界を定めるようになっている。回折限界直径（これは、入射光の波長及びバルク結像レンズの開口数の関数である）まで次第に減少する直径では、アパーチュアは、幅の狭い視界（すなわち、直径の小さな視界）を定め、そしてバルク結像光学部品１３０からのシャープであるが強度の低い（減衰した）信号をその対応のレンズ中に通す。したがって、アパーチュア層１４０は、照明源によって出力される光の波長（例えば、９００ｎｍ）について回折限界直径よりも大きく、アパーチュア層１４０の厚さよりも実質的に大きく、しかもレンズピッチ距離及びピクセルピッチ距離と実質的に等価であるアパーチュアピッチ距離よりも小さい直径のアパーチュアを備えることができる。一実施例では、アパーチュア層１４０は、各センスチャネルの視界の幾何学的選択性を最大にするよう回折限界直径に近づく直径のアパーチュアを備えるのが良い。変形例として、アパーチュアは、照明源によって出力される光の波長に関する回折限界直径よりも小さい直径のものであって良い。一実施例では、アパーチュア層１４０は、各サンプリング期間内に各ピクセルに入射する標的個数の光子を達成するために光学系中の照明源のパワー出力ならびに１組のピクセル１７０中の各ピクセルのサブピクセル光検出器の数及び光子検出能力に見合った直径のアパーチュアを備えるのが良い。この実施例では、各アパーチュアは、サンプリング期間中にバルク結像光学部品１３０に入射する対応の照明源に由来するピクセルのための標的減衰範囲を達成する特定の直径を定めるのが良い。特に、アパーチュア層１４０の一アパーチュアがその対応のレンズにかつその対応のピクセルに通された信号を減衰させるので、アパーチュアの直径をその対応のピクセルのダイナミックレンジに合致させるのが良い。
【００１９】
一具体化例では、アパーチュア層１４０の第１のアパーチュア１４１は、光線―バルク結像光学部品１３０の前に位置するフィールド（センスチャネルの視界）中の表面の個別の領域から反射された―をその対応のレンズ中に通し、第１のアパーチュア１４１とアパーチュア層１４０中の隣り合うアパーチュアとの間に介在して設けられた停止領域１４６は、光線―第１のアパーチュア１４１の視界の外に位置する表面の領域から反射された―が第１のアパーチュア１４１に対応したレンズ中に入るのを阻止する。したがって、一次元光学系１００では、アパーチュア層１４０は、図２に示されているように、フィールドの実質的に無限深さの多数の別々のオーバーラップしていない視界を定めるアパーチュアのコラムを備える。
【００２０】
この具体化例では、アパーチュア層１４０中の第１のアパーチュア１４１は、別個であってかつ図２に示されているように、アパーチュア層１４０中の別のアパーチュアによって定められた視界と交差しない視界を定める。１組の照明源１１０は、第１のアパーチュア１４１と対をなしかつバルク結像光学部品１３０の前に位置するフィールド中の第１のアパーチュア１４１の視界と実質的に整列した（すなわち、オーバーラップした）照明ビームを投射するよう構成された第１の照明源１１１を有する。さらに、第１の照明源１１１とバルク送信光学部品１２０は、互いに協働してバルク結像光学部品１３０からの種々の距離として第１のアパーチュア１４１の視界の断面と実質的にほぼ同じ（かつこれよりも僅かに大きい）断面の照明ビームを投射することができる。したがって、第１の照明源１１１―第１のアパーチュア１４１と対にされている―によって出力され、そして第１のアパーチュア１４１の視界中に投射された光は、アパーチュア層１４０中の他のアパーチュアの視界の実質的に外に位置したままでいることができる。
【００２１】
一般に、第１の照明源１１１によってフィールド中に投射された光子は、第１のセンスチャネルの視界内のフィールド中の一表面（又は多数の表面）の特定の領域を照明し、そしてかかる表面によって反射され（例えば、散乱され）、一表面の特定の領域によって反射されたこれら光子のうちの少なくとも何割かは、バルク結像光学部品１３０に達する場合があり、このバルク結像光学部品は、これら光子を焦点面の方へ差し向ける。これら光子は、第１のアパーチュア１４１の視界内の一表面の一領域によって反射されたので、バルク結像光学部品１３０は、これら光子を第１のアパーチュア１４１中に投射することができ、そして第１のアパーチュア１４１は、これら光子を第１のレンズ１５１中に通すことができる（又は、これら光子のサブセットは、しきい角度以下の第１のアパーチュア１４１の軸線に対する角度を有して入射する）。しかしながら、アパーチュア層１４０中の第２のアパーチュア１４２は、第１のアパーチュア１４１からオフセットしているのでかつ第１の照明源１１１を経て照明されたフィールド中の表面の特定の領域は、第２のアパーチュア１４２の視界と一致していない（実質的に一致していない）ので、この表面の特定の領域によって反射されてバルク結像光学部品１３０に達する光子は、第２のアパーチュア１４２中に投射されて第２のアパーチュア１４２の後ろに位置する第２のレンズ１５２に送られ、また、図２に示されているようにその逆の関係が成り立つ。さらに、第１のアパーチュア１４１と第２のアパーチュア１４２との間に位置する停止領域１４６は、バルク結像光学部品１３０によって反射されて第１のアパーチュア１４１と第２のアパーチュア１４２との間の焦点面の方へ差し向けられた光子を遮断することができ、それにより第１のセンスチャネルと第２のセンスチャネルとのクロストークが減少する。
【００２２】
１組の照明源１１０中の第１の照明源１１１と対をなしたアパーチュア層１４０中の第１のアパーチュア１４１に関し、アパーチュア層１４０中の第１のアパーチュア１４１は、第１の視界を定め、そしてこの第１の視界と一致したフィールド中の一表面に源を発し又はこれから反射された入射光線を第１のレンズ１５１中に通す。第１の照明源１１１は、第１のアパーチュア１４１によって定められた視界（図４に示されている）と実質的に一致している（そして、かかる視界と実質的に同一のサイズ又はこれよりも大きいが最小限度である）照明ビームを投射するので、アパーチュア層１４０中の第１のアパーチュア１４１によって第１のレンズ１５１中に送られる信号は、第１の照明源１１１に由来する光線と光学系中の他の照明源に由来する光線の比が比較的高いことを示すことができる。一般に、光学系中の種々の照明源は、動作中、特定の時刻において互いに異なる周波数、デューティサイクル、及び／又はパワーレベルなどで照明ビームを出力することができるので、バルク結像光学部品１３０から１組のピクセル１７０中の第１のピクセル１７１中に送られるが、第１のピクセル１７１と対をなす第１の照明源１１１以外の照明源に由来する光線は、第１のピクセル１７１のところでノイズとなる。アパーチュア層１４０中のアパーチュアの比較的小さな直径は、バルク結像光学部品１３０から１組のレンズ１５０中に送られた全光信号を減衰させることができるが、アパーチュア層１４０中の各アパーチュアは、光学系中の他の照明源ではなくその対応した照明源に由来する比較的高い割合の光子を通すことができ、すなわち、特定のアパーチュアの幾何学的形状及びその対応の照明源に起因して、特定のアパーチュアは、比較的高いＳＮＲを示す信号をその対応のレンズ中に送り、かくしてその対応のピクセル中に送ることができる。さらに、アパーチュア層１４０中の小さなアパーチュア直径―したがって、対応のチャネルの小さな視界―では、光学系は、太陽光線又は他の周囲光源から１組のピクセル１７０に送るノイズを少なくすることができる。
【００２３】
一形態では、光学系は、レンズアレイと光フィルタ１６０との間に介在して設けられた第２のアパーチュア層を含み、この第２のアパーチュア層は、第２の組をなすアパーチュア１４４を備え、各アパーチュアは、上述したように１組のレンズ１５０中の対応のレンズと整列する。この形態では、第２のアパーチュア層１４０中の一アパーチュアは、上述したように対応のレンズを通過した逸脱した光線を吸収し又は反射してチャネル相互間のクロストークを一段と減少させることができ、それにより光学系内のＳＮＲが向上する。同様に、光学系は、追加的に又は代替的に、光フィルタ１６０ディフューザ１８０との間に介在して設けられた第３のアパーチュア層を含むのが良く、この場合、第３のアパーチュア層は、第３の組をなすアパーチュア１４４を備え、各アパーチュアは、上述したように１組のレンズ１５０中の対応のレンズと整列する。この形態では、第３のアパーチュア層の一アパーチュアは、上述したように光フィルタを通過した逸脱光線を吸収し又は反射してこの場合もまた、チャネル相互間のクロストークを減少させることができ、それにより光学系内のＳＮＲが向上する。
【００２４】
１．４  レンズアレイ
光学系は、１組のレンズ１５０を含み、１組のレンズ１５０の各レンズは、第２の焦点距離によって特徴付けられ、第２の焦点距離だけバルク結像光学部品１３０と反対側の焦点面からオフセットし、１組のアパーチュア１４４の対応のアパーチュアと整列し、そして対応のアパーチュアを通過した光線を視準するよう構成されている。一般に、１組のレンズ１５０のうちの一レンズは、その対応のアパーチュアを通過したレンズアレイを視準し、そしてこれら視準した光線を光フィルタ１６０中に通すよう機能する。
【００２５】
一次元光学系１００では、レンズは、単一のコラムをなして配列され、隣り合うレンズは、図３に示されているように、一様なレンズピッチ距離（すなわち、隣り合うピクセル相互間の中心間距離）だけオフセットしている。１組のレンズ１５０は、アパーチュア層と光フィルタ１６０との間に介在して設けられている。特に、各レンズは、第２の焦点距離によって特徴付けられた収束レンズを含むのが良く、各レンズは、バルク結像光学部品１３０のアパーチュアを保持するとともにバルク結像光学部品１３０に入射しかつ対応のアパーチュアを通過した光を視準するよう第２の焦点距離だけバルク結像光学部品１３０の焦点面―バルク結像光学部品１３０と反対側で―からオフセットしているのが良い。１組のレンズの各レンズは、比較的短い焦点距離（すなわち、バルク結像光学部品１３０の焦点距離よりも小さい）及び比較的大きな周辺光線角度（例えば、比較的高い開口数レンズ）によって特徴付けられるのが良く、その結果、レンズは、バルク結像光学部品１３０の広がりによってレンズの方へ投射された大きな角度をなす光線を捕捉することができるようになっている。すなわち、１組のレンズの各レンズは、バルク結像光学部品１３０の光線コーンに実質的に合致した光線コーンによって特徴付け可能である。
【００２６】
１組のレンズ１５０のレンズは、実質的に互いにほぼ同じであるのが良い。１組のレンズ１５０のうちの一レンズは、バルク結像光学部品１３０によってその対応のアパーチュア中に収束される光線を視準するよう構成されている。例えば、１組のレンズ１５０のうちの一レンズは、その対応のアパーチュアのサイズ（例えば、直径）及び光学系の動作波長に基づいて選択された焦点距離によって特徴付けられる両凸レンズ又は平凸レンズを含むのが良い。この実施例では、１組のレンズ１５０のうちの一レンズの焦点距離（ｆ）は、次の公式によって計算できる。
2020501109.tif 000003
上式において、ｄは、アパーチュア層中の対応のアパーチュアの直径であり、λは、照明源によって出力される光の動作波長（例えば、９００ｎｍ）である。したがって、１組のレンズ１５０のうちの一レンズの幾何学的形状は、アパーチュア層中の対応のアパーチュアの幾何学的形状に合致されるのが良く、その結果、レンズは、光線の実質的にシャープな像―動作波長のところ又はその近傍では―を光フィルタ１６０中に、かくしてピクセルアレイ上に送るようになっている。
【００２７】
しかしながら、１組のレンズ１５０は、任意他の幾何学的形状のレンズを含むとともにアパーチュア層に隣接して任意他の仕方で配置されても良い。
【００２８】
１．５  光フィルタ
図３に示されているように、光学系は、アパーチュア層と反対側で１組のレンズ１５０に隣接して設けられていて、光線を動作波長で通すよう構成された光フィルタ１６０を含む。一般に、光フィルタ１６０は、１組のレンズ１５０からスペクトル全体にわたって電磁線を受け取り、動作波長の放射線を含む電磁線の比較的幅の狭いバンドをピクセルアレイに送り、そしてこのバンドの外にある電磁線を遮断する。特に、照明源によって出力されて１組のピクセル１７０中の一ピクセルに入射する電磁線以外の電磁線―例えば周囲光―は、光学系中のノイズとなる。したがって、光フィルタ１６０は、動作波長の外にありあるいはより実用的に言えば、幅の狭い波長バンドの外にある電磁線を拒絶するよう機能し、それにより光学系中のノイズが減少するとともにＳＮＲが増大する。
【００２９】
一具体化例では、光フィルタ１６０は、中心が実質的に光学系の動作波長にある電磁線の幅の狭いバンドを通す光学バンドパスフィルタを含む。一実施例では、照明源は、光を（主として）９００ｎｍの動作波長で出力し、光フィルタ１６０は、８９９．９５ｎｍ〜９００．０５ｎｍの光を通し、このバンドの外にある光を遮断するよう構成されている。
【００３０】
光フィルタ１６０は、光フィルタ１６０への入射角の関数として光の波長を選択的に通したり拒絶したりすることができる。一般に、光学バンドパスフィルタは、光学バンドパスフィルタへのこれらの入射角と反比例した光の波長を通すことができる。例えば、光フィルタ１６０が０．５ｎｍ幅の光学バンドパスフィルタを含む場合、光フィルタ１６０は、８９９．７５ｎｍから９００．２５ｎｍまでのシャープなバンドにわたって９５％を超える電磁線を通すことができ、そして約０°の入射角で光フィルタ１６０に入射する光線の場合、８９９．７０ｎｍ未満かつ９００．３０ｎｍを超える電磁線を約１００％拒絶することができる。しかしながら、この実施例では、光フィルタ１６０は、８９９．７５ｎｍから９００．２５ｎｍまでの幅の狭いバンドにわたって９５％を超える電磁線を通すとともに約１５°の入射角で光フィルタ１６０に入射する光線の場合、８９９．５０ｎｍ未満かつ９００．３０ｎｍを超える幅の広いバンドにわたって電磁線を約１００％拒絶することができる。したがって、光フィルタ１６０の入射面は、レンズの軸線に実質的に垂直であるのが良く、１組のレンズ１５０は、対応のアパーチュアを通って受け取った光線を視準するとともにこれら光線を光フィルタ１６０の入射面に実質的に垂直に（すなわち、光フィルタに対して約０°の入射角で）出力することができる。具体的に言えば、１組のレンズ１５０は、光線を０°に近い入射角で光フィルタ１６０に向かって出力することができ、その結果、光フィルタ１６０を通過した実質的に全ての電磁線は、光学系の動作波長の状態にあり又はこれに極めて近い状態にある。
【００３１】
一次元光学系１００では、この光学系は、１組のレンズ１５０の中のレンズのコラムにまたがる単一の光フィルタ１６０を含むのが良い。変形例として、光学系は、多数の光フィルタ１６０を含んでも良く、各光フィルタは、１組のレンズ１５０のうちの単一のレンズ又はレンズのサブセットに隣接して位置する。しかしながら、光フィルタ１６０は、任意他の幾何学的形状を備えることができ、しかも光の波長の限定されたバンドだけを通すよう任意他の仕方で機能することができる。
【００３２】
１．６  ピクセルアレイ及びディフューザ
光学系は、１組のレンズ１５０と反対側で光フィルタ１６０に隣接して設けられた１組のピクセル１７０を含み、１組のピクセル１７０の各ピクセルは、１組のレンズ１５０のうちの一レンズに対応しかつ第１の軸線とは平行ではない第２の軸線に沿って配置された１組のサブピクセルを含む。一般に、１組のピクセル１７０は、１組のレンズ１５０と反対側で光フィルタ１６０からオフセットしており、１組のピクセル１７０の各ピクセルは、１つ又は２つ以上のサンプリング期間内でピクセルに入射する光子のカウントに対応した単一の信号又は信号の流れを出力するよう機能し、各サンプリング期間は、持続時間がピコ秒、ナノ秒、マイクロ秒、又はミリ秒であるのが良い。
【００３３】
光学系は、光フィルタ１６０と１組のピクセル１７０との間に介在して設けられかつ１組のレンズ１５０の各レンズから出力された視準光を１組のピクセル１７０の単一の対応のピクセルの１組のサブピクセル全体にわたって広げるよう構成されたディフューザ１８０を更に含む。一般に、１組のレンズ１５０の各レンズに関し、ディフューザ１８０は、光線―レンズによって先に視準されるとともに光フィルタ１６０を通過した―を対応のピクセル内の検出領域の幅及び高さ全体にわたって広げるよう機能する。ディフューザ１８０は、１組のレンズ１５０にまたがる単一の光学素子を構成することができ、又はディフューザ１８０は、例えば光学系中の各チャネルと整列した１つの光学ディフューザ素子を含む多数の別々の光学素子を含むのが良い。
【００３４】
一具体化例では、１組のピクセル１７０のうちの第１のピクセル１７１は、単一光子アバランシェダイオード検波器（以下、“ＳＰＡＤ”という）のアレイを含み、ディフューザ１８０は、光線―対応の第１のアパーチュア１４１を先に通過し、対応の第１のレンズ１５１によって視準され、そして光フィルタ１６０を通過した―を図３、図５、及び図６に示されているように、第１のピクセル１７１の領域全体にわたって広げる。一般に、隣り合うアパーチュアは、互いに整列するとともにアパーチュアピッチ距離だけ垂直にオフセットしていても良く、隣り合うレンズは、互いに整列するとともにアパーチュアピッチ距離に実質的に等しいレンズピッチ距離だけ垂直にオフセットしていても良く、そして隣り合うピクセルは、互いに整列するとともにレンズ及びアパーチュアピッチ距離に実質的に等しいピクセルピッチ距離だけ垂直にオフセットしていても良い。しかしながら、ピクセルピッチ距離は、比較的少数の（例えば、２つの）垂直に積み重ねられたＳＰＡＤだけに対応するのが良い。したがって、１組のピクセル１７０の各ピクセルは、１：１を超えるアスペクト比を備えるのが良く、ディフューザ１８０は、ピクセル１個当たり広い検出領域に対応するために対応のピクセルの幾何学的形状に従って光フィルタ１６０を通過した光線を広げるのが良い。
【００３５】
一実施例では、１組のピクセル１７０の各ピクセルは、イメージセンサ上に配置され、１組のピクセル１７０のうちの第１のピクセル１７１は、アパーチュアのコラムとレンズを２等分する垂直軸線に垂直な横方向軸線に沿って互いに間隔を置いて配置された１６個のＳＰＡＤから成る単一の列を含む。この実施例では、第１のピクセル１７１中の単一のＳＰＡＤの高さは、第１のレンズ１５１の高さ（例えば、直径）よりも小さいのが良いが、１６個のＳＰＡＤの全長は、第１のレンズ１５１の幅（例えば、直径）よりも大きいのが良く、したがって、ディフューザ１８０は、第１のレンズ１５１から出力された光線を第１のピクセル１７１の平面のところでＳＰＡＤの高さに対応した高さに収束させるとともに第１のレンズ１５１から出力された光線を第１のピクセル１７１の平面のところで１６個のＳＰＡＤの幅に対応した幅に発散させることができる。この実施例では、１組のピクセル１７０のうちの残りのピクセルは、同様な列をなすＳＰＡＤを含むのが良く、ディフューザ１８０は、対応のアパーチュアによって通過して対応のピクセルに当たる光線を同様に収束させるとともに発散させることができる。
【００３６】
上記実施例では、アパーチュア層は、１６個の同一のアパーチュアから成るコラムを含むのが良く、１組のレンズ１５０は、アパーチュア層の後ろに配置された１６個の同一のレンズから成るコラムを含むのが良く、１組のピクセル１７０は、１組のレンズ１５０の後ろに配置された１６個の同一のピクセル（各ピクセルは、ＳＰＡＤの同様なアレイを含む）の組を有するのが良い。幅６．４ｍｍ、高さ６．４ｍｍのイメージセンサの場合、各ピクセルは、１６個のＳＰＡＤから成る単一の列を含むのが良く、各ＳＰＡＤは、遠隔アナログフロントエンド処理エレクトロニクス／ディジタル処理エレクトロニクス回路２４０に電気的に結合される。各ＳＰＡＤは、幅４００μｍ幅、高さ４００μｍのＳＰＡＤ領域内に配列されるのが良く、各ＳＰＡＤは、直径が約４００μｍに近い能動検出領域を定めるのが良い。隣り合うＳＰＡＤは、４００μｍのＳＰＡＤピッチ距離だけオフセットしているのが良い。この実施例では、したがって、アパーチュアの垂直コラムに沿うアパーチュアピッチ距離、レンズの垂直コラムに沿うレンズピッチ距離、及びピクセルの垂直コラムに沿うピクセルピッチ距離は各々、約４００μｍであるのが良い。光学系中の第１のセンスチャネル（すなわち、第１のアパーチュア１４１、第１のレンズ１５１、及び第１のピクセル１７１など）の場合、第１のディフューザ１８０は、第１のレンズ１５１から光フィルタ１６０を通過した光線の円筒形コラム―例えばアスペクト比が１：４のアパーチュア層に関して直径が約１００μｍの光のコラム―を第１のピクセル１７１中のＳＰＡＤの列と垂直に整列した約４００μｍの高さに発散させることができる。第１のディフューザは、同様に、第１のレンズ１５１から光フィルタ１６０を通過した光線の円筒形コラムを中心が第１のピクセル１７１中のＳＰＡＤの列全体に水平に位置する約６．４μｍの幅に発散させることができる。光学系の他のディフューザ１８０は、同様に、対応のレンズを通過した視準光を１組のピクセル１７０の対応のピクセル全体にわたって発散させる（又は収束させる）ことができる。したがって、この実施例では、各ＳＰＡＤ（又は各ピクセル）を遠隔アナログフロントエンド処理エレクトロニクス／ディジタル処理エレクトロニクス回路２４０に接続することによりかつ光フィルタ１６０を通過した光を対応のピクセルの幅及び高さ全体にわたって広げるディフューザ１８０を組み込むことによって、光学系は、イメージングセンサ全体にわたって比較的高い検出領域フィルファクタを達成することができる。
【００３７】
したがって、一次元光学系１００では、１組のピクセル１７０のピクセルは、１：１を超えるアスペクト比で配置された多数のＳＰＡＤのアレイを含むのが良く、ディフューザ１８０は、光線を対応の非正方形ピクセル全体にわたって広げるのが良く、それにより比較的多数のＳＰＡＤを単一のピクセルを横切ってタイル表示して図３に示されているように、ピクセル１つ当たりの単一のＳＰＡＤを備えたイメージセンサよりもイメージセンサを横切って大きなダイナミックレンジを達成することができる。特に、ピクセル１つ当たり（すなわち、センスチャネル１つ当たり）多数のＳＰＡＤを組み込むことによって、光学系中の第１のセンスチャネルは、ＳＰＡＤに特有のデッドタイムの期間内で多数の入射光子（第１のアパーチュア１４１によって定められた視界によって境界付けられているフィールド中の表面に由来する）を検出することができる。したがって、第１のセンスチャネルは、その視界中の「明るい」表面を検出することができる。追加的に又は代替的に第１のセンスチャネル中の第１のピクセル１７１を第１のピクセル１７１中のＳＰＡＤに特有のデッドタイムよりも迅速にサンプリングすることができ、と言うのは、第１のピクセル１７１中のＳＰＡＤの第１のサブセットが第１のサンプリング期間中に入射光子の収集に起因して第１のサンプリング期間中にダウン（又は「死んでいる」）である場合があるが、第１のピクセル１７１中の他のＳＰＡＤは、オン（又は「生きている」）のままであり、したがって、次のサンプリング期間中、入射光子を収集することができる。さらに、光検出器の比較的高いアスペクト比によって特徴付けられたピクセルを組み込むことによって、イメージセンサは、比較的小さなピクセルピッチだけオフセットしたピクセルを含むことができるが、光学系１００は、依然として比較的高いダイナミックレンジピクセルを達成することができる。
【００３８】
しかしながら、１組のピクセル１７０のうちの複数のピクセルは、任意他のアレイの状態に、例えば６４×１格子アレイの状態で（上述したように）、３２×２格子アレイの状態で、又は１６×４格子アレイの状態で配列された任意他の数のＳＰＡＤを含むことができ、ディフューザ１８０は、光線をそれに応じて任意他の適当な仕方で対応のピクセル上に収束させるとともに／あるいは発散させることができる。さらに、ＳＰＡＤではなく（又はＳＰＡＤに加えて）、１組のピクセル１７０の各ピクセルは、１つ又は２つ以上の直線アバランシェフォトダイオード、ガイガーモード型アバランシェフォトダイオード、フォトマルチプライヤ、光電子増倍管、フォトダイオード、QUANTUM DOT 検出器、又は上述したように配置された他形式の光検出器を含むことができ、ディフューザ１８０は、同様に、光フィルタ１６０を通過した信号を本明細書において説明するように対応のピクセル全体にわたって収束させたり発散させたりすることができる。
【００３９】
１．７  照明源
光学系は、第１の軸線に沿って配置された１組の照明源１１０を含み、１組の照明源１１０の各照明源は、動作波長の照明ビームを照明源の前に位置するフィールド内の個別のスポットに向かって出力するよう構成されている。一般に、各照明源は、図１及び図２に示されているように、１組のアパーチュア１４４のうちの対応のアパーチュアによって定められた視界に一致して照明ビームを出力するよう機能する。
【００４０】
一具体化例では、１組の照明源１１０は、バルク送信器光学部品及びセンスチャネル１つ当たり１つの別個のエミッタを含む。例えば、１組の照明源１１０は、１組の別々のエミッタを含むモノリシックＶＣＳＥＬアレイを有するのが良い。この具体化例では、バルク送信器光学部品は、材料、幾何学的形状（例えば、焦点距離）、断熱作用などに関してバルク結像光学部品１３０と実質的に同一であるのが良く、バルク送信器光学部品は、バルク結像光学部品１３０に隣接して位置するとともにこれから側方かつ／あるいは垂直にオフセットしている。第１の実施例では、１組の照明源１１０は、コラムの状態に配列された別々のエミッタを含むレーザアレイを有し、隣り合うエミッタは、アパーチュアピッチ距離と実質的に同一のエミッタピッチ距離だけ互いにオフセットしている。この第１の実施例では、各エミッタは、アパーチュア層の対応のアパーチュアの直径と実質的に同一であり又はこれよりも僅かに大きい直径の照明ビームを出力し、エミッタのコラムは、バルク送信器光学部品の焦点面に沿って配置され、したがって、バルク送信器光学部品からフィールド中に投射された照明ビームは、図４に示されているように対応のセンスチャネルの視界と交差しかつこれと実質的に同一のサイズ及び幾何学的形状のものである。したがって、１組の照明源１１０中の各エミッタによって出力された実質的に全てのパワーは、その対応のセンスチャネルの視界中に投射されるのが良く、センスチャネルの視界の外に位置するフィールド中の表面を照射して無駄になるパワーが比較的最小限に抑えられる。
【００４１】
第２の実施例では、別々のエミッタは、コラムの状態に同様に配列され、隣り合うエミッタは、図２に示されているようにアパーチュアピッチ距離の２倍のエミッタピッチ距離だけ互いにオフセットしている。この第２の実施例では、各エミッタは、アパーチュア層の対応のアパーチュアの直径の約２倍（又は、２倍よりも僅かに大きい）直径の照明能動領域（又はアパーチュア）によって特徴付けられ、エミッタのコラムは、バルク送信器光学部品の焦点距離の２倍だけバルク送信器光学部品の後ろにオフセットしており、バルク送信器光学部品からフィールド中に投射された各照明ビームは、上述したように、対応のセンスチャネルの視界と交差しかつこの視界と実質的に同一のサイズ及び幾何学的形状のものである。さらに、照明ビームパワー密度が同一である場合、この第２の実施例においてエミッタにより出力される照明ビームは、上述した第１の実施例においてエミッタにより出力される照明ビームの４倍のパワーを有することができる。したがって、光学系は、スケールファクタ（例えば、２．０又は３．０）及びそれぞれ１）アパーチュア層中のアパーチュアピッチ距離、２）アパーチュア層のアパーチュアの直径、及び３）バルク送信器光学部品の焦点距離の関数として、エミッタピッチ距離にしたがって配置され、所定の直径の照明ビームを出力するよう構成され、かつオフセット距離だけバルク送信器光学部品の後ろにオフセットして設けられた１組のエミッタを含むのが良い。したがって、光学系は、同一ビーム角度内でかつ受信器サブシステムの対応のチャネルの視界内で大きな全出力照明パワーを達成するよう対応の受信器サブシステムよりも比例的に大きい照明サブシステムを含むのが良い。
【００４２】
光学系は、多数の別々の組をなす照明源を更に含むのが良く、照明源１１０の各組は、バルク結像光学部品１３０に隣接して位置する別個のバルク送信器光学部品と対をなしている。例えば、光学系は、バルク結像光学部品１３０の中心から一様な半径方向距離を置いたところでバルク結像光学部品１３０周りに半径方向にパターン付けされかつ１２０°の角度間隔だけ離隔された第１のバルク送信器光学部品、第２のバルク送信器光学部品、及び第３のバルク送信器光学部品を含むのが良い。この実施例では、光学系は、第１、第２、及び第３のバルク送信器光学部品の各々の後ろに上述したように配置された１つのエミッタを有するレーザアレイを含むのが良い。各別個のレーザアレイ及びその対応のバルク送信器光学部品は、かくして、１組の照明ビームをアパーチュア層のアパーチュアに対応することによって定められた視界中に投射するのが良い。したがって、この実施例では、３つの別々のレーザアレイ及び３つの対応のバルク送信器光学部品は、単一のレーザアレイ及び１つのバルク送信器光学部品と比較して、３倍のパワーを光学系中のセンサチャネルの視界に投射するよう互いに協働することができる。追加的に又は代替的に、光学系は、１）センスチャネル１つ当たり多数の低パワーエミッタを含む受信器サブシステム内の各センスチャネルの視界中に標的照明パワー出力を達成するとともに、２）人間の眼に関してしきい許容光エネルギー密度よりも小さい光エネルギー密度を達成するよう近視野中の広い領域にわたって光エネルギーを分布させるために多数の別々の層アレイ及びバルク送信器光学部品を含むのが良い。
【００４３】
しかしながら、光学系は、センスチャネルによって定められた視界を照明するよう構成されている任意他の数及び形態の照明源組及びバルク送信器光学部品を含むのが良い。１組の照明源１１０は、単一のレーザダイオード、側面発光レーザダイオードアレイ、ＬＥＤアレイ、又は量子ドットＬＥＤアレイなどによって電力供給される任意他の適当な形式の光学送信器、例えば１×１６光学スプリッタを更に含むのが良い。
【００４４】
１．８  作製
一具体化例では、バルク受信器レンズ、アパーチュア層、１組のレンズ１５０、光フィルタ１６０、及びディフューザ１８０を作製し、次にイメージセンサと整列させてこれに取り付ける。例えば、光フィルタ１６０を作製するには溶融シリカ基板を被覆するのが良い。光活性光学ポリマーを光フィルタ１６０上に蒸着させ、レンズモールドを光活性光学ポリマー上に配置するのが良く、そしてＵＶ光源をアクティブにして光活性光学ポリマーを光フィルタ１６０を横切ってパターン付けされたレンズの形態に硬化するのが良い。同様に、スタンドオフをフォトリソグラフィ技術により光フィルタ１６０を横切って成形し又は形成するのが良く、次に、選択的に硬化された金属化ガラスウェーハによって定められたアパーチュア層をスタンドオフに結合し又は違ったやり方で取り付けてアパーチュア層を形成するのが良い。次に、この組立体を逆さまにし、１組の別々のディフューザ及びスタンドオフを同様に光フィルタ１６０の反対側全体にわたって作製するのが良い。次に、別個のイメージセンサをスタンドオフと整列させてこれに結合するのが良く、バルク結像光学部品１３０を同様にアパーチュア層を覆って取り付けるのが良い。
【００４５】
変形例として、フォトリソグラフィ及びウェーハレベル結合技術を実施してバルク結像光学部品、アパーチュア層、１組のレンズ１５０、光フィルタ１６０、及びディフューザ１８０を検出器チップを含む未ダイシング状態の半導体ウェーハ上に直接作製するのが良く、その目的は、製造を単純化し、コストを減少させ、しかもピクセルクロストークを減少させるために光学スタック高さを減少させることにある。
【００４６】
２．  一次元光学系：レンズチューブ
光学系の一形態は、第１の軸線に沿って配置された１組の照明源１１０を含み、１組の照明源１１０の各照明源は、動作波長の照明ビームを照明源の前に位置するフィールド内の別個のスポットに向かって出力するよう構成され、この光学系は、フィールドと反対側の焦点面によって特徴付けられたバルク結像光学部品１３０と、第１の軸線に平行な線アレイをなして配置された１組のレンズチューブ２１０と、を含み、１組のレンズチューブ２１０の買うレンズチューブは、焦点距離だけ焦点面からオフセットしかつ１組の光学部品の対応の照明源によってバルク結像光学部品１３０中に照明されたフィールド中の別個のスポットからバルク結像光学部品１３０中に反射された光線を視準するよう構成されたレンズを含み、光学系は、焦点面と反対側でレンズから延び、第１の軸線に実質的に垂直な長軸を定め、しかも対応の照明源によって照明された別個のスポットの外に位置するフィールド中の領域からバルク結像光学部品１３０中に反射された入射光線を吸収するよう構成されている円筒形壁２１８を含む。この形態では、光学系は、焦点面と反対側で１組のレンズチューブ２１０に隣接して設けられかつ光線を動作波長で通すよう構成された光フィルタ１６０と、１組のレンズ１５０の反対側で光フィルタ１６０に隣接して設けられた１組のピクセル１７０と、を更に含み、１組のピクセル１７０の各ピクセルは、１組のレンズ１５０の一レンズに対応しかつ第１の軸線に垂直な第３の軸線に沿って整列した１組のサブピクセルを含み、光学系は、光フィルタ１６０と１組のピクセル１７０との間に介在して設けられかつ１組のレンズ１５０の各レンズから出力された視準光を１組のピクセル１７０の対応のピクセルの１組のサブピクセル全体にわたって広げるよう構成されたディフューザ１８０を含む。
【００４７】
一般に、この形態では、光学系は、上述の各アパーチュア及びレンズ対の代わりに（又は、これらに加えて）レンズチューブを含む。この形態では、各レンズチューブは、第２の（短い）焦点距離によって特徴付けられるのが良くかつバルク結像光学部品１３０のアパーチュアを保持するとともに上述しかつ図５及び図７に示されているようにバルク結像光学部品１３０から受け取った入射光を視準するよう第２の焦点距離だけバルク結像光学部品の焦点面からオフセットしているのが良い。
【００４８】
各レンズチューブはまた、隣接の光フィルタ１６０の入射平面に垂直な軸線を定めかつ図５に示されているように入射光線を吸収するよう構成された不透明な円筒形壁２１８を備えている。一般に、軸方向の距離が大きいと、レンズチューブの円筒形壁２１８は、レンズチューブの軸線に対して浅い角度をなしてレンズチューブを通過した光線を吸収することができ、それによりレンズチューブの視界が減少する（これは、上述したように回折限界直径までアパーチュア層のアパーチュアの直径を減少させることとほぼ同じである場合がある）とともに光フィルタ１６０の入射平面の垂線の近くに視準光線の出力信号が生じる。したがって、各レンズチューブは、標的視界を達成するとともにレンズチューブの軸線に対してしきい角度よりも小さい最大角度で視準光線を通すのに十分な距離の細長い円筒形壁２１８を備えるのが良い。この形態では、レンズチューブは、かくして、幅の狭い視界を定めるとともに実質的に視準された光を隣接の光フィルタ１６０に出力するよう上述したアパーチュア・センス対として機能することができる。
【００４９】
レンズチューブの円筒形壁２１８は、円筒形壁２１８に入射した光線の吸収を増大させるとともにその反射を減少させるために図５に示されているように透明な（又は半透明な）レンズ材料周りに粗い又は不透明なインターフェースを備えるのが良い。各レンズチューブ（及び上述の各レンズ）はまた、反射防止膜で被覆されるのが良い。
【００５０】
図９に示されているように、この形態では、レンズチューブ２１０の組を作製するには、フォトリソグラフィ技術を実施して光活性光学ポリマー（例えば、ＳＵ８）を光フィルタ１６０上に（例えば、光フィルタを構成するシリコンウェーハ上に）パターン付けするのが良い。次に、光吸収性ポリマーをレンズチューブ相互間に注ぎ込んで硬化させるのが良い。次に、１組のレンズ１５０を別々に作製し（例えば、成形し）、次にレンズチューブ上に結合するのが良い。変形例として、レンズをフォトリソグラフィ技術によりレンズチューブ上に直接作製しても良い。さらに別法として、ポリマーをレンズチューブ上に配置されたモールド中に注入することによってレンズ用のモールドをレンズチューブ上に直接注型しても良い。単一のディフューザ１８０又は多数の別々のディフューザ１８０を同様に作製するとともに／あるいはレンズチューブと反対側で光フィルタ１６０上に組み付けるのが良い。光フィルタ１６０から延びるスタンドオフを同様にディフューザ１８０周りに作製し又は取り付けるのが良くそしてイメージセンサを光フィルタ１６０と反対側でスタンドオフと整列させてこれに結合するのが良い。光学系内の他の光学素子（例えば、バルク結像レンズ、バルク送信レンズなど）を類似の技術に従ってかつ類似の材料とともに作製するのが良い。
【００５１】
３．  二次元光学系
光学系の別の形態は、第１の直線状格子アレイの状態に配置された１組の照明源１１０を含み、１組の照明源１１０の各照明源は、動作波長の照明ビームを照明源の前に位置するフィールド中の別個のスポットに出力するよう構成され、この光学系は、フィールドと反対側の焦点面によって特徴付けられたバルク結像光学部品１３０と、焦点面と一致していて、第１の直線格子アレイに比例した第２の直線格子アレイの状態に１組のアパーチュア１４４を定めるとともに１組のアパーチュア１４４の周りに停止領域１４６を備えたアパーチュア層を含み、１組のアパーチュア１４４の各アパーチュアは、１組の照明源１１０の対応の照明源によって出力された別個のスポットと一致したフィールド中の視界を定めるアパーチュア層を含み、停止領域１４６は、１組のアパーチュア１４４によって定められた視界の外に位置するフィールド中の表面から反射されてバルク結像光学部品１３２を通過する光線を吸収し、かかる光学系は、１組のレンズ１５０を含み、１組のレンズ１５０の各レンズは、第２の焦点距離によって特徴付けられ、第２の焦点距離だけバルク結像光学部品１３０と反対側で焦点面からオフセットし、１組のアパーチュア１４４の一アパーチュアと整列しかつこのアパーチュアを通過した光線を視準するよう構成され、かかる光学系は、アパーチュア層と反対側で１組のレンズ１５０に隣接して設けられかつ動作波長で光線を通すよう構成された光フィルタ１６０と、１組のレンズと反対側で光フィルタ１６０に隣接して設けられた１組のピクセル１７０と、を含み、１組のピクセル１７０の各ピクセルは、１組のレンズ１５０のレンズのサブセットと整列し、かかる光学系は、光フィルタ１６０と１組のピクセル１７０との間に介在して設けられかつ１組のレンズ１５０の各レンズから出力された視準光を１組のピクセル１７０の対応のピクセル全体にわたって広げるよう構成されたディフューザ１８０を含む。
【００５２】
一般に、この形態では、光学系は、チャネル（すなわち、アパーチュア、レンズ、ならびにピクセル組又はレンズチューブ及びピクセル組）の二次元格子アレイを含み、この光学系は、光学系の占有するボリュームを二次元に画像化するよう構成されている。光学系は、二次元フィールド全体にわたり一次元距離データ、例えばサンプリング期間内における入射光子のカウント及び／又はフィールド中の既知の視界に対応した既知の位置のピクセルに入射した連続した光子相互間の時間を収集することができる。次に、一次元距離データを光学系中の各チャネルに関する視界の既知の位置とマージして光学系の前方にフィールドの仮想三次元表示を再構成するのが良い。
【００５３】
この形態では、アパーチュア層は、アパーチュアの格子アレイを備えるのが良く、１組のレンズ１５０は、類似の格子アレイをなして配置されるのが良く、一レンズは、アパーチュア層中の一アパーチュアと整列し、１組のピクセル１７０は、上述したように、アパーチュア１つ及びレンズ対１つ当たり１つのピクセルを含むのが良い。例えば、アパーチュア層は、３００μｍのアパーチュアピッチ距離だけ垂直かつ側方にオフセットした２００μｍ径のアパーチュアの２４×２４格子アレイを定めることができ、１組のレンズ１５０は、同様に、３００μｍのレンズピッチ距離だけ垂直かつ側方にオフセットしたレンズの２４×２４格子アレイを定めことができる。この実施例では、１組のピクセル１７０では、３００μｍ正方形ピクセルの２４×２４格子アレイを含むのが良く、各ピクセルは、９個の１００μｍ正方形ＳＰＡＤの３×３正方形アレイを含む。
【００５４】
変形例として、この形態では、１組のピクセル１７０は、多数のアパーチュア及びレンズ対の群１つ当たり１つのピクセルを含んでも良い。上述の実施例では、１組のピクセル１７０は、変形例として、６００μｍ正方形ピクセルの１２×１２格子アレイを含み、各ピクセルは、３６個の１００μｍ正方形ＳＰＡＤの６×６正方形アレイを含み、各ピクセルは、正方形格子中の４つの隣にあるレンズの群と整列する。図８に示されているように、この実施例では、４つの隣り合うレンズの各群に関し、ディフューザ１８０は、正方形格子中の（１，１）位置にあるレンズから出力された視準光線を上方にかつ右側に付勢して（１，１）レンズを通過した光線を対応のピクセルの広さ及び幅全体にわたってひろげることができ、正方形格子中の（２，１）位置にあるレンズから出力された視準光線を上方にかつ左側に付勢して（２，１）レンズを通過した光線を対応のピクセルの広さ及び幅全体にわたってひろげることができ、正方形格子中の（１，２）位置にあるレンズから出力された視準光線を下方にかつ右側に付勢して（１，２）レンズを通過した光線を対応のピクセルの広さ及び幅全体にわたってひろげることができ、正方形格子中の（２，２）位置にあるレンズから出力された視準光線を下方にかつ左側に付勢して（２，２）レンズを通過した光線を対応のピクセルの広さ及び幅全体にわたってひろげることができる。
【００５５】
上述の実施例では、正方形格子中の４つのレンズの１つの群に対応した正方形格子中の４つの照明源の各群に関し、光学系は、所与の時点において４つの照明源の群中の１つの照明源を作動させることができる。特に、１組のピクセル１７０中の一ピクセルに対応した正方形格子中の４つの照明源の各群に関し、光学系は、第１のサンプリング期間中、（１，１）位置にある第１の照明源１１１を作動させて４つのレンズの対応の群中の（１，１）位置にあるレンズに対応した第１のアパーチュア１４１によって定められた視界を照明することができ、光学系は、第１のサンプリング期間中、対応のピクセル中の全部で３６個のＳＰＡＤをサンプリングすることができる。光学系は、次に、第１の照明源１１１を作動停止させて次の第２のサンプリング期間中、（１，２）位置にある第２の照明源１１２を作動させ、それにより４つのレンズの対応の群中の（１，２）位置にあるレンズに対応した第２のアパーチュア１４２によって定められた視界を照明することができ、光学系は、第２のサンプリング期間中、対応のピクセル中の全部で３６個のＳＰＡＤをサンプリングすることができる。次に、光学系は、第１及び第２の照明源１１２を作動停止させて次の第３のサンプリング期間中、（２，１）位置にある第３の照明源を作動させ、それにより４つのレンズの対応の群中の（２，１）位置にあるレンズに対応した第３のアパーチュアによって定められた視界を照明することができ、光学系は、第３のサンプリング期間中、対応のピクセル中の全部で３６個のＳＰＡＤをサンプリングすることができる。最後に、光学系は、第１、第２、及び第３の照明源１１２を作動停止させて第４のサンプリング期間中、（２，２）位置にある第４の照明源を作動させ、それにより４つのレンズの対応の群中の（２，２）位置にあるレンズに対応した第４のアパーチュアによって定められた視界を照明することができ、光学系は、第４のサンプリング期間中、対応のピクセル中の全部で３６個のＳＰＡＤをサンプリングすることができる。光学系は、このプロセスをその作動全体を通じて繰り返すのが良い。
【００５６】
したがって、上述の実施例では、光学系は、幅７．２ｍｍ、長さ７．２ｍｍのイメージセンサ全体にわたって配置された１組のピクセル１７０を含むのが良くかつこの光学系中の各チャネルが多数の実質的に大きなイメージセンサ（例えば、１４．４ｍｍ×１４．４ｍｍイメージセンサ）を必要とするＳＰＡＤにアクセスすることができる（多数のＳＰＡＤ上に光線を投射することができる）よう走査方式を実施するのが良い。特に、光学系は、光学系中の各チャネルのダイナミックレンジ内における指数関数的増大を達成するよう照明源の群１つ当たりシリアル走査方式を実施することができる。特に、この形態では、光学系は、光学系の画像化解像度を増大させるよう上述の画像技術を実施することができる。
【００５７】
上記具体化例では、光学系は、各チャネルとイメージセンサとの間に位置するシャッタ１８２を更に含むのが良く、この光学系は、対応のチャネルようの照明源を作動させたり作動停止させたりしたとき、それぞれ、各シャッタ１８２を選択的に開閉することができる。例えば、光学系は、各レンズ相互間に介在して設けられた１つの独立に動作可能なエレクトロクロミックシャッター１８２を含むのが良く、この光学系は、（１，１）照明源を作動させたとき、４つのレンズの正方形格子付き群中の（１，１）レンズ上でエレクトロクロミックシャッター１８２を開いたり（１，２）、（２，１）、（２，２）、レンズ上でエレクトロクロミックシャッター１８２を閉じたりすることができ、それによりイメージセンサ上の対応のピクセルに達しないよう（１，２）、（２，１）、（２，２）レンズを通過したノイズを拒絶する。光学系は、したがって、各チャネルとイメージセンサとの間のシャッタ１８２を選択的に開閉して作動中、チャネル１つ当たりのＳＮＲを増大させることができる。変形例として、光学系は、図８に示されているように、各ピクセルの選択領域上に配置された１つの独立に動作可能なエレクトロクロミックシャッター１８２を含んでも良く、かくエレクトロクロミックシャッター１８２は、単一のチャネルと（すなわち、１組のレンズのうちの単一のレンズと）整列する。光学系は、変形例として、１組のレンズ１５０とイメージセンサとの間に介在して設けられたＭＥＭＳメカニカルシャッター又は任意他の適当な形式のシャッタを含んでも良い。
【００５８】
この形態では、光学系は、アパーチュア、レンズ、ディフューザ、及び／又は第１（例えば、Ｘ）軸線に沿う第１のピッチ距離及び第２（例えば、Ｙ）軸線に沿う第２のピッチ距離（第１のピッチ距離とは異なる）によって特徴付けられたピクセルの二次元格子アレイを定めることができる。例えば、イメージセンサは、２５μｍ水平ピッチ及び３００μｍ垂直ピッチだけオフセットしたピクセルを含むのが良く、各ピクセルは、１２個のサブピクセルの単一の列を含む。
【００５９】
しかしながら、この形態では、二次元光学系は、チャネル（例えば、アパーチュア、レンズ（又はレンズチューブ）及びディフューザ）及びピクセルの任意他の数及びパターンのアレイを含むのが良く、かかる二次元光学系は、イメージセンサのロウ（raw ）ピクセル解像度よりも高いチャネル１つ当たりの空間解像度を達成するよう任意他の適当な走査方式を実行することができる。光学系は、追加的に又は代替的に、収束光学部品、発散光学部品、及び／又は任意他の適当な形式の光学素子を含むことができ、それによりチャネルから通過した光線を対応のピクセルの幅全体にわたって広げることができる。
【００６０】
当業者であれば上述の詳細な説明ならびに図面及び特許請求の範囲から認識されるように、以下の特許請求の範囲に記載された本発明の範囲から逸脱することなく、本発明の実施形態に対する改造及び変更を行うことができる。
【図１】
2020501109.tif 000004
【図２】
2020501109.tif 000005
【図３】
2020501109.tif 000006
【図４】
2020501109.tif 000007
【図５】
2020501109.tif 000008
【図６】
2020501109.tif 000009
【図７】
2020501109.tif 000010
【図８】
2020501109.tif 000011
【図９】
2020501109.tif 000012
【図１０】
2020501109.tif 000013
【図１１】
2020501109.tif 000014
【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
光学系であって、
焦点面を備えたバルク結像光学部品と、
複数のピクセルを有するピクセルアレイと、
前記焦点面と一致しかつ前記バルク結像光学部品と前記ピクセルアレイとの間に設けられたアパーチュア層とを含み、前記アパーチュア層は、前記光学系の外部に位置するフィールド内のしきい距離を超えて複数の別々の非オーバーラップ状態の視界を定める複数の別々のアパーチュアを有し、
前記アパーチュア層と前記ピクセルアレイは、複数のセンスチャネルを形成するよう配列され、前記複数のセンスチャネルの各センスチャネルは、前記ピクセルアレイからのピクセル及び前記センスチャネルのための視界を定める前記複数のアパーチュアからの一アパーチュアを有し、前記複数のセンスチャネルの各ピクセルは、カウンタ及びレジスタを含むディジタル処理エレクトロニクスに電気的に結合されている、光学系。
【請求項２】
複数のレンズを含むレンズアレイを更に含み、前記複数のセンスチャネルの各センスチャネルは、前記複数のレンズからの一レンズを更に有する、請求項１記載の光学系。
【請求項３】
前記複数のセンスチャネルの各ピクセルの検出面積は、前記ピクセルがセンスチャネルを共有する前記アパーチュアの面積よりも大きい、請求項１又は２記載の光学系。
【請求項４】
前記複数のセンスチャネルの各ピクセルは、複数の単一光子アバランシェダイオード検波器（ＳＰＡＤ）から成る、請求項３記載の光学系。
【請求項５】
各ＳＰＡＤは、カウンタ及びレジスタを含むディジタル処理エレクトロニクスに電気的に結合されている、請求項４記載の光学系。
【請求項６】
各センスチャネル内に設けられていて、各チャネルからの光を前記チャネル内の前記複数のＳＰＡＤ全体にわたって広げるよう構成されたディフューザを更に含む、請求項４又は５記載の光学系。
【請求項７】
前記アパーチュア層は、前記バルク結像光学部品の前記焦点面に沿って配置された薄い不透明な構造体から成る、請求項１記載の光学系。
【請求項８】
前記アパーチュア層の隣り合うアパーチュアは、各アパーチュアの直径よりも大きなアパーチュアピッチ距離だけ互いにオフセットしている、請求項１記載の光学系。
【請求項９】
前記複数のセンスチャネルの各ピクセルは、サンプリング期間内に前記ピクセルに入射した光子のカウントに対応した信号又は信号の流れを出力するよう構成されている、請求項１記載の光学系。
【請求項１０】
各センスチャネル内で前記バルク結像光学部品と前記ピクセルアレイとの間に設けられた光フィルタを更に含み、前記光フィルタは、前記バルク結像光学部品を通過した光を受け取るとともに前記センスチャネル内のピクセルに狭いバンドの放射線を送る一方で前記バンドの外にある放射線を遮断するよう構成されている、請求項１〜９のうちいずれか一に記載の光学系。
【請求項１１】
前記光学系は、距離測定を実施するよう構成され、前記光学系は、
バルク送信器光学部品と、
複数のエミッタを有する照明源とを更に含み、前記複数のエミッタの各エミッタは、個別の照明ビームを動作波長で前記バルク送信器光学部品に通して前記光学系の外部に位置する前記フィールド中に投射するよう構成され、
各センスチャネル内の前記光フィルタは、前記動作波長を含む光の波長のバンドを通す一方で、前記バンドの外にある光を遮断するよう構成され、前記複数のピクセルの各々は、前記複数のエミッタの対応関係にある各々から光を受け取るよう構成されている、請求項１０記載の光学系。
【請求項１２】
前記照明源は、複数のレーザから成る、請求項１１記載の光学系。
【請求項１３】
前記複数のレーザは、アレイをなして配列されるとともにサイズ及び幾何学的形状が前記光学系からの距離の範囲全体にわたって実質的に合致する照明パターンにしたがって前記光学系の前に位置するフィールド内に複数の別々の照明ビームを投射するよう構成されている、請求項１２記載の光学系。
【請求項１４】
前記複数のレーザは、モノリシック垂直共振器面発光レーザ（ＶＣＳＥＬ）アレイである、請求項１２記載の光学系。
【請求項１５】
前記光学系は、アパーチュアのコラムに平行な軸線回りに回されると、前記光学系によって占められるボリュームの仮想三次元表示に再構成可能な三次元距離データを収集するイメージセンサとして機能するよう構成されている、請求項１１〜１４のうちいずれか一に記載の光学系。
【請求項１６】
距離測定を実施する光学系であって、前記光学系は、
バルク送信器光学部品を含み、
複数のレーザを有する照明源を含み、前記複数のレーザの各レーザは、個別の照明ビームを動作波長で前記バルク送信器光学部品に通して前記光学系の外部に位置する前記フィールド中に投射するよう構成され、
焦点面を備えたバルク結像光学部品を含み、
複数のレンズを含むレンズアレイを含み、
複数のピクセルを有するピクセルアレイを含み、前記複数のピクセルの各ピクセルは、カウンタ及びレジスタを含むディジタル処理エレクトロニクスに電気的に結合され、
前記焦点面と一致しかつ前記バルク結像光学部品と前記ピクセルアレイとの間に設けられたアパーチュア層を含み、前記アパーチュア層は、前記光学系の外部に位置するフィールド内のしきい距離を超えて複数の別々の非オーバーラップ状態の視界を定める複数の別々のアパーチュアを有し、前記アパーチュア層、前記レンズアレイ及び前記ピクセルアレイは、複数のセンスチャネルを形成するよう配列され前記複数のセンスチャネルの各センスチャネルは、前記ピクセルアレイからのピクセル、前記複数のレンズからの一レンズ、及び前記センスチャネルのための視界を定める前記複数のアパーチュアからの一アパーチュアを有する、光学系。
【請求項１７】
前記複数のセンスチャネルの各ピクセルの検出面積は、前記ピクセルがセンスチャネルを共有する前記アパーチュアの面積よりも大きい、請求項１６記載の光学系。
【請求項１８】
前記ピクセルアレイの各ピクセルは、該ピクセルの検出領域全体にわたって分布して設けられた複数のＳＰＡＤから成る、請求項１７記載の光学系。
【請求項１９】
前記複数のセンスチャネルの各チャネル内に設けられかつ前記バルク受信光学部品と前記ピクセルのアレイとの間に設けられた光フィルタを更に含み、前記光フィルタは、前記バルク受信光学部品を通過した光を受け取るとともに狭いバンドの放射線を通す一方で前記バンドの外にある放射線を遮断するよう構成されている、請求項１６〜１８のうちいずれか一に記載の光学系。
【請求項２０】
前記複数のレーザの各レーザは、ＶＣＳＥＬである、請求項１９記載の光学系。
【手続補正２】
【補正対象書類名】図面
【補正対象項目名】全図
【補正方法】変更
【補正の内容】
【図１】
2020501109.tif 000015
【図２】
2020501109.tif 000016
【図３】
2020501109.tif 000017
【図４】
2020501109.tif 000018
【図５】
2020501109.tif 000019
【図６】
2020501109.tif 000020
【図７】
2020501109.tif 000021
【図８】
2020501109.tif 000022
【図９】
2020501109.tif 000023
【図１０】
2020501109.tif 000024
【図１１】
2020501109.tif 000025
【国際調査報告】
2020501109.tif 000026
2020501109.tif 000027
2020501109.tif 000028
2020501109.tif 000029